(57)【要約】【課題】  軽量でハンドリング性に優れ、短時間で安価に形成できるエアテント型簡易トイレ装置を提供することを目的とする。【解決手段】  軟質の合成樹脂シート又はゴムシートを主体とし、壁１３、１４及び天井１５を形成する並設された複数の気室１６〜２０、及び複数の気室１６〜２０によって形成される門形部材２１の両側を覆い、少なくとも一方には出入口２４が形成されたシート部材２２、２３を備え、内部に便器１１を収納可能な広さを有するエアテント本体１２と、門形部材２１の一部に設けられた空気入口２５から各気室１６〜２０内に空気Ｋを送るファン２６とを有し、ファン２６から門形部材２１内に空気Ｋを注入することによってエアテント本体１２が自立可能に構成されている。【選択図】        図１
2006169811.tif 000002
【特許請求の範囲】
【請求項１】
軟質の合成樹脂シート又はゴムシートを主体とし、壁及び天井を形成する並設された複数の気室、及び該複数の気室によって形成される門形部材の両側を覆い、少なくとも一方には出入口が形成されたシート部材を備え、内部に便器を収納可能な広さを有するエアテント本体と、
前記門形部材の一部に設けられた空気入口から前記各気室内に空気を送るファンとを有し、
前記ファンから前記門形部材内に空気を注入することによって前記エアテント本体が自立可能なことを特徴とするエアテント型簡易トイレ装置。
【請求項２】
請求項１記載のエアテント型簡易トイレ装置において、前記門形部材には、前記エアテント本体内に向けて、空気を噴出する１又は２以上の空気噴出口を備え、しかも前記空気噴出口には開閉可能な閉塞蓋が設けられていることを特徴とするエアテント型簡易トイレ装置。
【請求項３】
請求項１及び２のいずれか１項に記載のエアテント型簡易トイレ装置において、前記出入口は、前記シート部材の一部に形成され、面状ファスナーによって接合及び分離が可能なラップ代を有する縦長の切れ目から形成されていることを特徴とするエアテント型簡易トイレ装置。
【請求項４】
請求項１〜３のいずれか１項に記載のエアテント型簡易トイレ装置において、前記出入口は前記シート部材に設けられた縦長開口部に取り外し又は巻き上げ可能に取付けられた扉シートに形成されていることを特徴とするエアテント型簡易トイレ装置。
【請求項５】
請求項１〜４のいずれか１項に記載のエアテント型簡易トイレ装置において、前記便器は前記エアテント本体の内幅と実質的に同一の幅を有するタンクを備えていることを特徴とするエアテント型簡易トイレ装置。
【請求項６】
請求項５記載のエアテント型簡易トイレ装置において、前記便器の側部に前記門形部材の両側下部を取付け可能な固定部が設けられていることを特徴とするエアテント型簡易トイレ装置。
【発明の詳細な説明】
【技術分野】
【０００１】
本発明は、空気を注入することによって膨らんで自立し、使用者が入って用便が可能なエアテント型簡易トイレ装置に関する。
【背景技術】
【０００２】
従来、例えば、海水浴場等で個人が使用する簡易トイレとして、テントシートの４つの側面壁が広がるように４本の支柱を間隔をあけた状態で下端部を地面に突き刺すことによって、テントシートの側面壁及び天井壁で覆われた空間を形成し、４本の支柱の上端部に２本の交叉した支持部材を装着することにより、４本の支柱の間隔を保持して、可搬式便器を収納する空間の形状を確実に確保する形態のものが用いられている（例えば、特許文献１参照）。
また、工事現場等で使用する仮設トイレとして、ある程度の期間にわたって汚物を貯蔵できるタンクを備えた便器を含むトイレユニットを下側に備え、トイレユニット上に便器を収納する空間を有して、内部を覆うＦＲＰ又は金属製の小屋が取り外し可能に設けられたものが知られている。
【０００３】
【特許文献１】特開２０００−４５５７４号公報
【発明の開示】
【発明が解決しようとする課題】
【０００４】
しかしながら、前記従来のトイレにおいては未だ解決すべき以下のような問題があった。
特許文献１の簡易トイレにおいては、４本の支柱の打ち込み作業及び支持部材の装着作業に、多くの人手と時間を要し、しかも、支柱や支持部材等の物品が重いためハンドリング性が悪く、その分、多くの費用がかかった。
仮設トイレにおいても、トイレユニット上に設けられるＦＲＰ又は金属製の小屋が重い（例えば、２０〜６０ｋｇ）ため、人手ではハンドリングできず、レッカーを使用する必要があり、時間及び費用がかかるという問題があった。特に、仮設トイレを短期間使用する場合には、費用が割高となった。
【０００５】
本発明はかかる事情に鑑みてなされたもので、軽量でハンドリング性に優れ、短時間で安価に形成できるエアテント型簡易トイレ装置を提供することを目的とする。
【課題を解決するための手段】
【０００６】
前記目的に沿う本発明に係るエアテント型簡易トイレ装置は、軟質の合成樹脂シート又はゴムシートを主体とし、壁及び天井を形成する並設された複数の気室、及び該複数の気室によって形成される門形部材の両側を覆い、少なくとも一方には出入口が形成されたシート部材を備え、内部に便器を収納可能な広さを有するエアテント本体と、前記門形部材の一部に設けられた空気入口から前記各気室内に空気を送るファンとを有し、前記ファンから前記門形部材内に空気を注入することによって前記エアテント本体が自立可能に構成されている。
【０００７】
本発明に係るエアテント型簡易トイレ装置において、前記門形部材には、前記エアテント本体内に向けて、空気を噴出する１又は２以上の空気噴出口を備え、しかも前記空気噴出口には開閉可能な閉塞蓋を設けてもよい。
本発明に係るエアテント型簡易トイレ装置において、前記出入口は、前記シート部材の一部に形成され、面状ファスナーによって接合及び分離が可能なラップ代を有する縦長の切れ目から形成してもよい。
【０００８】
本発明に係るエアテント型簡易トイレ装置において、前記出入口は前記シート部材に設けられた縦長開口部に取り外し又は巻き上げ可能に取付けられた扉シートに形成してもよい。
本発明に係るエアテント型簡易トイレ装置において、前記便器は前記エアテント本体の内幅と実質的に同一の幅を有するタンクを備えてもよい。
本発明に係るエアテント型簡易トイレ装置において、前記便器の側部に前記門形部材の両側下部を取付け可能な固定部を設けてもよい。
【発明の効果】
【０００９】
本発明のエアテント型簡易トイレ装置においては、軟質の合成樹脂シート又はゴムシートを主体とし、壁及び天井を形成する並設された複数の気室、及び複数の気室によって形成される門形部材の両側を覆い、少なくとも一方には出入口が形成されたシート部材を備え、内部に便器を収納可能な広さを有するエアテント本体に、ファンにより門形部材の一部に設けられた空気入口から空気を送り、門形部材内に空気を注入することによってエアテント本体を自立させることができるので、従来のような地面に突き刺す支柱や支持部材が不要で、エアテント本体が簡単にセットでき、また、軽量なため持ち運びが便利であり、その結果、短時間で安価にエアテント本体を形成することができる。
【００１０】
門形部材に、エアテント本体内に向けて、空気を噴出する１又は２以上の空気噴出口を備え、しかも空気噴出口に開閉可能な閉塞蓋を設ける場合には、エアテント本体内の空気の循環ができる。また、加熱源を設けて温風又は冷却源を設けて冷風を噴出することもできる。
出入口が、シート部材の一部に形成され、面状ファスナーによって接合及び分離が可能なラップ代を有する縦長の切れ目から形成されている場合には、切れ目を介して使用者が出入りすることができ、しかも、出入口の開閉が容易にでき、エアテント本体内を外部から覗くことができないので、安心して用便ができる。
【００１１】
出入口がシート部材に設けられた縦長開口部に取り外し又は巻き上げ可能な扉シートに形成されている場合には、便器の取り込み及び取り出しが容易にでき、また、古い扉シートを取り外して新しい扉シートと交換することができる。
便器がエアテント本体の内幅と実質的に同一の幅を有するタンクを備えている場合には、エアテント本体内にタンクを収納できるので、設置等にレッカーを必要としコストのかかる従来の仮設トイレを用いずに、ある程度長い期間の使用が可能となり、設置時間及び使用する費用が節約できる。
便器の側部に門形部材の両側下部を取付け可能な固定部が設けられている場合には、エアテント本体の高さを低くできるので、エアテント本体をコンパクトに形成でき、この結果、装置を安価に製作することができる。
【発明を実施するための最良の形態】
【００１２】
続いて、添付した図面を参照しつつ、本発明を具体化した実施の形態につき説明し、本発明の理解に供する。
ここで、図１は本発明の第１の実施の形態に係るエアテント型簡易トイレ装置の斜視図、図２（Ａ）、（Ｂ）、（Ｃ）はそれぞれ、図１の矢視Ａ−Ａ、矢視Ｂ−Ｂ、矢視Ｃ−Ｃの模式的な断面図、図３は図１の矢視Ｄ−Ｄの模式的な断面図、図４（Ａ）、（Ｂ）はそれぞれ、同エアテント型簡易トイレ装置の空気噴出口の位置を説明する平面図、正面図、図５は同エアテント型簡易トイレ装置の空気噴出口付近の拡大図、図６は本発明の第２の実施の形態に係るエアテント型簡易トイレ装置の構成を示す説明図、図７は同エアテント型簡易トイレ装置に適用される設置式トイレの斜視図、図８は扉シートの変形例を示す説明図、図９はシート部材の変形例を示す模式的な説明図である。
【００１３】
図１〜図３に示すように、本発明の第１の実施の形態に係るエアテント型簡易トイレ装置１０は、内部に便器の一例である簡易可搬式便器１１を収納可能な広さを有するエアテント本体１２を備えている。エアテント本体１２は、軟質の合成樹脂シート又はゴムシートを主体として形成され、壁１３、１４及び天井１５を形成する並設された複数（本実施の形態では５個）の気室１６〜２０、及び複数の気室１６〜２０によって形成される門形部材２１の両側の開口を覆うシート部材２２、２３を備えており、前側のシート部材２２には出入口２４が形成されている。
【００１４】
エアテント型簡易トイレ装置１０は、更に、門形部材２１の壁１３側に設けられた空気入口２５から各気室１６〜２０内に空気Ｋを送るファン２６を有しており、ファン２６から門形部材２１内に空気Ｋを注入することによって、エアテント本体１２が自立可能となっている。以下、これらについて詳細に説明する。
【００１５】
門形部材２１のサイズは、例えば、内幅Ｗ＝８００〜１３００ｍｍ、長さＬ＝８００〜１３００ｍｍ、高さＨ＝２０００〜２５００ｍｍとしている。門形部材２１の下端外側には、床面Ｆに配置され、前後方向の長さＬを有する略矩形でシート状の軟質の合成樹脂シート又はゴムシートからなる左右の基礎部材２７、２８が縫い合わせて取付けられている。基礎部材２７、２８にはペグ（テント用杭）を取付け可能な複数のペグ用孔２９が前後方向に沿って設けられており、基礎部材２７、２８上には、必要に応じて、土嚢等のウェイト材（図示せず）を載置することができる。
【００１６】
図１及び図２に示すように、エアテント本体１２の門形部材２１は前後方向に開放されたアーチ状の門型に形成されている。門形部材２１は、軟質の合成樹脂シート又はゴムシートを縫い合わせて形成された筒状の気室１６〜２０が前後方向に並べて配置されて実質的に密閉構造となっている。壁１３側の隣り合う気室１６〜２０の下端部は、図２（Ｃ）に示すように、連結部分の一部に形成された連通口３０〜３３を介して連通するように構成されていると共に、連通口３０〜３３の少し上方には、図２（Ｂ）に示すように、リング状で気室１６〜２０と同じ材質からなるオリフィス部材３４が設けられている。オリフィス部材３４は、空気Ｋの量を絞ることによって空気Ｋを気室１６〜２０により均等に注入すると共に、気室１６〜２０を補強する作用もある。
【００１７】
図１に示すように、床面Ｆに設置されたファン２６の吐出口と門形部材２１の後部に位置する気室２０の下端部に設けられた空気入口２５との間には、軟質の合成樹脂シート又はゴムシートからなる筒状の送気用ダクト３５が接続されている。気室１６〜２０内の内部圧力は５０〜８０ｍｍａｑ（水柱）としている。なお、ファン２６の駆動方法は電池駆動又はエンジン駆動としている。
【００１８】
かかる構成によって、気室２０の空気入口２５から注入される空気Ｋは連通口３０〜３３及びオリフィス部材３４を介して門形部材２１の各気室１６〜２０に均一に充填されて、門形部材２１が均等に膨らんでエアテント本体１２が自立できるようになっている。なお、エアテント本体１２が自立した状態で、ミシンの縫い目から僅かの量の空気Ｋが漏れるため、ファン２６の運転を継続しながら、空気Ｋを補給するように構成されている。ファン２６の最大風量は、例えば、１〜８ｍ3 ／分、最高静圧は、例えば、１．０〜１．２ｋＰａ（約１００〜１２０ｍｍａｑ）としている。
【００１９】
図１及び図３に示すように、門形部材２１の前側開口３６を覆うシート部材２２は、門形部材２１の前部に位置する気室１６の前端内側に取付けられ、左右方向の中央部に矩形状の縦長開口部３７が形成された固定シート３８と、固定シート３８の縦長開口部３７を後側、即ち、門形部材２１の内側から覆うことができ、しかも、固定シート３８に上端部が固定されて巻き上げ可能に取付けられた扉シート３９とを備えている。
【００２０】
更に、扉シート３９は左側に出入口２４を形成する縦長の切れ目４０が設けられており、切れ目４０は、複数（図１では４個）の対となる面状ファスナー４１によって接合及び分離が可能なラップ代Ｒ（例えば、３０〜１５０ｍｍ）を有している。扉シート３９のサイズは、例えば、高さｈ＝１５００〜２０００ｍｍ、幅Ｔ＝５５０〜９００ｍｍとしている。
固定シート３８の縦長開口部３７の側部後側及びこれに対応する扉シート３９の両側部の前側には、複数（図１では８個）の対となる面状ファスナー４２が取付けられている。
【００２１】
また、上端部が固定シート３８に固定された扉シート３９の上側固定部を除く部分は、面状ファスナー４２により固定シート３８と接合及び分離が可能となっており、扉シート３９を面状ファスナー４２により固定シート３８に接合して門形部材２１の前側開口３６を覆い、使用者４５（図４参照）は用便時、切れ目４０を介して出入りするようになっている。また、例えば、簡易可搬式便器１１を搬入、搬出する際には、面状ファスナー４２を離して扉シート３９を巻き上げて、固定シート３８の外側及び扉シート３９の内側に対応して取付けられた対となる留め具４３、４４により固定シート３８の上部に保持することができる。
【００２２】
後側のシート部材２３は固定シートからなっており、この固定シートには、矩形状のメッシュ材からなる換気用窓部が形成され、しかも、換気用窓部の不使用時にこの換気用窓部を覆うことができる蓋部材が、固定シートの内側から、例えば、面状ファスナー等により着脱可能に設けられている。
【００２３】
図４及び図５に示すように、門形部材２１には、エアテント本体１２内で用便をしている使用者４５（図４（Ｂ）では実線は男子の小便の場合の頭部を、破線は大便の場合の頭部を示す）に向けて、空気Ｋを噴出する空気噴出口４６、４７及び４８、４９を備えており、しかも空気噴出口４６（４７〜４９も同じ）には開閉可能な閉塞蓋５０が設けられている。なお、図４（Ａ）では、男子の使用者４５が小便をする際の両足の位置を実線で、また、使用者４５が大便をする際の両足の位置を破線で表している。
【００２４】
空気噴出口４６、４７同士、また、空気噴出口４８、４９同士はそれぞれ、門形部材２１の壁１４、１３の垂直方向の同一高さ位置に対向して設けられており、空気Ｋの噴出方向は使用者４５の顔に向けられている。空気噴出口４６、４７の床面Ｆからの高さＸ＝１５００〜１７００ｍｍ、空気噴出口４８、４９の床面Ｆからの高さＹ＝９００〜１２００ｍｍとしている。空気噴出口４６、４７（４８、４９も同じ）からの、噴出量はファン２６の送風量の約１／３程度としている。
【００２５】
図５に示すように、空気噴出口４６（４７〜４９も同じ）の直径ｄは、例えば、５〜１５ｍｍとしており、下端部が門形部材２１に取付けられた矩形状の閉塞蓋５０が、下方に開口を有するコ字状の面状ファスナー５１を介して接合及び分離することにより、空気噴出口４６を開閉することができる。空気噴出口４６から噴出される空気Ｋは、例えば、暑い夏の時期では、冷却源をもうけて冷風とし、一方、冷たい冬の時期では、加熱源を設けて温風とすることもできる。なお、図１中の符号５２はエアテント本体１２を床面Ｆに固定するために、門形部材２１に設けられたロープ用フックを表している。
【００２６】
次いで、本発明の第１の実施の形態に係るエアテント型簡易トイレ装置１０の使用方法及び作用について、図を参照しながら説明する。
門形部材２１の空気Ｋが抜けて萎んだ状態のエアテント本体１２と、送気用ダクト３５が接続されているファン２６とを所定の設置場所の床面Ｆに置き、送気用ダクト３５と門形部材２１の空気入口２５とを接続する。
【００２７】
ファン２６を駆動して、空気入口２５を介して門形部材２１の気室１６〜２０に空気Ｋを注入する。この際、図２（Ｂ）、（Ｃ）に示す気室１６〜２０に設けられたオリフィス部材３４及び連通口３０〜３３により、気室１６〜２０に均等に空気が充填されるので、気室１６〜２０が均一に膨らんで、門形部材２１を介してエアテント本体１２が床面Ｆに自立する。なお、門形部材２１の縫い目から微少量の空気Ｋが漏れるので、引き続きファン２６を運転しておく。
【００２８】
基礎部材２７、２８のペグ用孔２９にペグを打ち込み、基礎部材２７、２８を介してエアテント本体１２を床面Ｆに固定する。なお、床面Ｆの状況に応じて、ウェイト材を基礎部材２７、２８上に載置したり、ロープ用フック５２を介してロープ及びアンカーによりエアテント本体１２を固定することができる（図６を参照）。
【００２９】
図１及び図３に示すように、扉シート３９の下側の面状ファスナー４２を分離して扉シート３９の下部を持ち上げ、前側開口３６の下部から簡易可搬式便器１１をエアテント本体１２内に取り込み、簡易可搬式便器１１を所定の向きにして所定の位置の床面Ｆに設置する。簡易可搬式便器１１をエアテント本体１２内に取り込む際、必要に応じて、扉シート３９をロール状に巻き上げて留め具４３、４４により固定シート３８の上部に保持し、簡易可搬式便器１１の設置後、扉シート３９を巻き戻し、面状ファスナー４２を結合して元の状態にする。この状態で、使用者４５がエアテント本体１２内の簡易可搬式便器１１を使用することができる。
【００３０】
使用者４５が用便をする場合、外から両手で扉シート３９の面状ファスナー４１を分離させて、縦長の切れ目４０を拡大させて出入口２４を形成してエアテント本体１２内に入り、エアテント本体１２内で両手で扉シート３９の面状ファスナー４１を接合する。面状ファスナー４１の接合により、切れ目４０はラップ部により内側から覆われることになるので、切れ目４０を介して外部からエアテント本体１２内を見ることができない。
【００３１】
使用者４５が簡易可搬式便器１１で用便をする際、必要に応じて、閉塞蓋５０を開として空気噴出口４６、４７（又は４８、４９）から空気Ｋをエアテント本体１２内に噴出させる。これにより使用者４５は快適に用便をすることができる。
用便後、使用者４５はエアテント本体１２内に入るのと逆の工程を行って、エアテント本体１２内から外に出る。
日中にはファン２６を継続して駆動し、エアテント本体１２を自立させて用便に供するが、夜間にはファン２６を停止し、エアテント本体１２は門形部材２１の空気Ｋを抜いて萎んだ状態にしておく。
【００３２】
次に、図６及び図７を参照しながら、本発明の第２の実施の形態に係るエアテント型簡易トイレ装置６０について説明する。なお、エアテント型簡易トイレ装置１０と同じ構成要素については、同じ符号を付し、詳細な説明を省略する。
エアテント型簡易トイレ装置６０は、軟質の合成樹脂シート又はゴムシートを主体とし、内部に便器の一例である和式便器６１を収納可能な広さを有するエアテント本体８０を備えている。エアテント本体８０は、壁８１、８２及び天井８３を形成する並設された複数（本実施の形態では５個）の気室８４〜８８、及び複数の気室８４〜８８によって形成される門形部材８９の両側の開口を覆うシート部材９０、９１を備えており、前側のシート部材９０には出入口（図示せず）が形成されている。
【００３３】
エアテント型簡易トイレ装置６０は、更に、門形部材８９の壁８１側に設けられた空気入口９２から各気室８４〜８８内に空気Ｋを送るファン２６を有しており、ファン２６から門形部材８９内に空気Ｋを注入することによって、エアテント本体８０が自立可能となっている。床面Ｆに設置されたファン２６の吐出口と空気入口９２との間には、軟質の合成樹脂シート又はゴムシートからなる筒状の送気用ダクト３５が接続されている。エアテント型簡易トイレ装置１０と同様、各気室８４〜８８には、連通口３０〜３３及びオリフィス部材３４が設けられており、門形部材８９の下端には基礎部材９３、９４が取付けられている。
【００３４】
ここで、和式便器６１はエアテント本体８０の内幅ｗと実質的に同一の幅を有するタンク６２を備えた設置式トイレ６３の一部を構成しており、エアテント本体８０の下端は、タンク６２の左右方向の両側に設けられた取付けブラケット６４、６５の上面に載置され、ファン２６から門形部材８９内に空気Ｋを注入することによってエアテント本体８０が自立できるようになっている。取付けブラケット６４、６５はアングル材で形成されている。なお、設置式トイレ６３は、例えば、建設現場において長期間使用するために、レンタルするものであり、従って、タンク６２は長期間汚物を貯蔵できるようになっている。
【００３５】
図６及び図７に示すように、設置式トイレ６３は、使用者がシート部材９０に形成された出入口からエアテント本体８０内に入り、小便の際に両足を載せる下段足場６６と、下段足場６６より上方後側に階段状に配置され、大便の際に和式便器６１を跨いで両足を載せる上段足場６７と、下面が床面Ｆに載置され、上部に下段足場６６及び上段足場６７が配置されたタンク６２とを備えている。上段足場６７と下段足場６６との段差部の中間位置で、和式便器６1 の右側近傍には、用便後に水を流すための踏み板６８が設けられている。
【００３６】
門形部材８９の内側にも、門形部材２１と同様に、エアテント本体８０内で用便をしている使用者に向けて、空気Ｋを噴出する空気噴出口４６、４７及び４８、４９を備えており、しかも空気噴出口４６、４７及び４８、４９にはそれぞれ開閉可能な閉塞蓋５０が設けられている。
【００３７】
なお、タンク６２に設けられた取付けブラケット６４、６５には、門形部材８９の両側下部を取付け可能な図示しない固定部（例えば、鉤、孔等）が設けられている。
図６中の符号６９はロープを表しており、符号７０はロープ６９を床面Ｆに固定するアンカーを表している。
エアテント型簡易トイレ装置６０の使用方法及び作用は、エアテント型簡易トイレ装置１０の使用方法及び作用と基本的に同じであるので、説明を割愛する。
【００３８】
図８には、扉シート３９の変形例である扉シート７１を示すが、扉シート３９と同じ構成要素については、同じ符号を付し、詳しい説明を省略する。
扉シート７１は固定シート３８の縦長開口部３７に、面状ファスナー９５を介して取り外し可能に取付けられており、出入口は、面状ファスナー４１によって接合及び分離が可能なラップ代を有する縦長の切れ目４０から形成されている。
図９に示すシート部材９６は、シート部材２２の変形例であり、シート部材２２と比較して、扉シート９７が固定シート３８の外側で接合及び分離可能に構成されている。
【００３９】
本発明は前記した実施の形態に限定されるものではなく、本発明の要旨を変更しない範囲での変更は可能であり、例えば、前記したそれぞれの実施の形態や変形例の一部又は全部を組み合わせて本発明のエアテント型簡易トイレ装置を構成する場合も本発明の権利範囲に含まれる。
本実施の形態では、トイレ用として説明したが、他にもイベント会場、海水浴場又はキャンプ場等での更衣室としても使用することができる。
門形部材２１の気室１６〜２０を前後方向に並べて配置したが、これに限定されず、必要に応じて、門形部材の複数の気室を左右方向に並べて配置して、自立可能な壁及び天井を形成することもできる。また、５個の気室１６〜２０を設けたが、これに限定されず、必要に応じて、２〜４個又は６個以上の気室を設けることもできる。
【００４０】
門形部材２１に空気噴出口４６、４７及び４８、４９を設けたが、これに限定されず、必要に応じて、空気噴出口を設けなくてもよい。また、４個の空気噴出口を設けたが、これに限定されず、状況に応じて、１〜３個又は５個以上の空気噴出口を設けることもできる。更に、空気噴出口を、使用者の顔に向けて空気Ｋを噴出する向き及び位置に設けたが、これに限定されず、状況に応じて、その他の向き及び位置に設けることもできる。
前側のシート部材だけに出入口を形成したが、これに限定されず、必要に応じて、後側のシート部材にも出入口を形成することもできる。
【００４１】
出入口を、シート部材の一部に形成され、面状ファスナーによって接合及び分離が可能なラップ代を有する縦長の切れ目から形成したが、これに限定されず、必要に応じて、人の出入りが可能で、外からエアテント本体内がある程度見えなければ、他の構造の出入口とすることもできる。
エアテント型簡易トイレ装置６０において、エアテント本体８０をタンク６２に設けられた取付けブラケット６４、６５に載置したが、これに限定されず、必要に応じて、エアテント型簡易トイレ装置１０と同様に、設置式トイレを内部に収納してエアテント本体を、床面に載置することもできる。
【００４２】
気室１６〜２０にオリフィス部材３４を設けたが、これに限定されず、状況に応じて（例えば、時間をかけて門形部材を膨らませる場合等）、オリフィス部材を省略することもできる。
門形部材２１に空気Ｋを注入する空気入口２５を１ヶ所形成し、ファンを１台設けたが、これに限定されず、必要に応じて、空気入口を２ヶ所以上形成し、ファンを２台以上設けることもできる。また、ファン１台に対して空気入口を２ヶ所以上形成することもできる。
【００４３】
シート部材（固定シート及び／又は扉シート）の適当な位置に、例えば、会社名、商品名、マーク及び使用方法等が記載された布状物を面状ファスナーを介して着脱可能に取付けることもできる。
切れ目４０を取り外し又は巻き上げ可能に取付けられた扉シート３９、７１、９７に形成したが、これに限定されず、必要に応じて、切れ目を固定シートに形成することもできる。
【図面の簡単な説明】
【００４４】
【図１】本発明の第１の実施の形態に係るエアテント型簡易トイレ装置の斜視図である。
【図２】（Ａ）、（Ｂ）、（Ｃ）はそれぞれ、図１の矢視Ａ−Ａ、矢視Ｂ−Ｂ、矢視Ｃ−Ｃの模式的な断面図である。
【図３】図１の矢視Ｄ−Ｄの模式的な断面図である。
【図４】（Ａ）、（Ｂ）はそれぞれ、同エアテント型簡易トイレ装置の空気噴出口の位置を模式的に説明する平面図、正面図である。
【図５】同エアテント型簡易トイレ装置の空気噴出口付近の拡大図である。
【図６】本発明の第２の実施の形態に係るエアテント型簡易トイレ装置の構成を示す説明図である。
【図７】同エアテント型簡易トイレ装置に適用される設置式トイレの斜視図である。
【図８】扉シートの変形例を示す説明図である。
【図９】シート部材の変形例を示す説明図である。
【符号の説明】
【００４５】
１０：エアテント型簡易トイレ装置、１１：簡易可搬式便器（便器）、１２：エアテント本体、１３、１４：壁、１５：天井、１６〜２０：気室、２１：門形部材、２２：シート部材、２３：シート部材、２４：出入口、２５：空気入口、２６：ファン、２７、２８：基礎部材、２９：ペグ用孔、３０〜３３：連通口、３４：オリフィス部材、３５：送気用ダクト、３６：前側開口、３７：縦長開口部、３８：固定シート、３９：扉シート、４０：切れ目、４１：面状ファスナー、４２：面状ファスナー、４３、４４：留め具、４５：使用者、４６〜４９：空気噴出口、５０：閉塞蓋、５１：面状ファスナー、５２：ロープ用フック、６０：エアテント型簡易トイレ装置、６１：和式便器（便器）、６２：タンク、６３：設置式トイレ、６４、６５：取付けブラケット、６６：下段足場、６７：上段足場、６８：踏み板、６９：ロープ、７０：アンカー、７１：扉シート、８０：エアテント本体、８１、８２：壁、８３：天井、８４〜８８：気室、８９：門形部材、９０、９１：シート部材、９２：空気入口、９３、９４：基礎部材、９５：面状ファスナー、９６：シート部材、９７：扉シート
【図１】
2006169811.tif 000003
【図２】
2006169811.tif 000004
【図３】
2006169811.tif 000005
【図４】
2006169811.tif 000006
【図５】
2006169811.tif 000007
【図６】
2006169811.tif 000008
【図７】
2006169811.tif 000009
【図８】
2006169811.tif 000010
【図９】
2006169811.tif 000011